(57)【要約】      （修正有）【課題】デスクやテーブルの天板上に簡単に設置でき、十分な高さで立設できて、且つ机上からの撤去も容易とされ、設置中における圧迫感を抑えるとともに、パーティション越しの対面時に意思疎通を可能としながら、お互いの飛沫拡散防止、或いは抑制することを可能とする飛沫防止パーティションを提供する。【解決手段】飛沫防止パーティション１は、上半部５と下半部６とが別体で構成され、上半部５が透明樹脂板よりなり、上半部５と下半部６とがプラスチックネジ４により連結固定されるパネル本体部２と、パネル本体部２の下縁に連結されてパネル本体部２を立設させる左右一対の脚部３と、を具備する。【選択図】図１
0003228226.tif 000002
【実用新案登録請求の範囲】
【請求項１】
少なくとも半部が透明樹脂で構成される樹脂板よりなるパネル本体部と、
該パネル本体部の下縁に連結されて該パネル本体部を立設させる少なくとも左右一対の脚部と、
を具備することを特徴とする飛沫防止パーティション。
【請求項２】
前記透明樹脂とされる前記パネル本体部の半部が、上半部であることを特徴とする請求項１記載の飛沫防止パーティション。
【請求項３】
前記パネル本体部は、上半部と下半部の別体で構成され、いずれか一方の半部が透明樹脂よりなり、前記上半部と下半部とが固定手段により連結固定されることを特徴とする請求項１記載の飛沫防止パーティション。
【請求項４】
前記パネル本体部の下縁に沿う一方の面には、棒状に形成される補強材が水平に固定されることを特徴とする請求項１〜３のいずれか１つに記載の飛沫防止パーティション。
【請求項５】
前記パネル本体部の下縁部分には、所定幅長および所定高さのスリット状に貫通した切欠部が形成されることを特徴とする請求項１〜４のいずれか１つに記載の飛沫防止パーティション。
【請求項６】
前記脚部の下面には粘着部を具備し、設置面に対して該粘着部にて前記脚部を接着固定し、前記パネル本体部を立設させることを特徴とする請求項１〜５のいずれか１つに記載の飛沫防止パーティション。
【請求項７】
前記パネル本体部は、中央パネル部と、該中央パネル部の右側縁に接続される右側パネル部と、前記中央パネル部の左側縁に接続される左側パネル部とで構成される３面構成で、前記中央パネル部と前記右側パネル部および前記左側パネル部の各接続部分で折り曲げ自在とされ、折り畳めることを特徴とする請求項１〜６のいずれか１つに記載の飛沫防止パーティション。
【請求項８】
前記中央パネル部、右側パネル部、左側パネル部の前記接続部分近傍の上縁部を挟持するクリップ部を有し、該クリップ部を対で備え、両クリップ部が所定角度で連結固定されるブラケットを一対具備し、
該ブラケットが、前記接続部分の上縁部における、前記中央パネル部と前記右側パネル部、及び、前記中央パネル部と前記左側パネル部の開き角度を前記所定角度で保持することを特徴とする請求項７記載の飛沫防止パーティション。
【考案の詳細な説明】
【技術分野】
【０００１】
本考案は、飛沫防止パーティションに関する。
【背景技術】
【０００２】
室内空間やデスク，テーブルの天板に立設させ、スペースを区切る所謂パーティションについては従来より種々あり、例えば特許文献１や特許文献２のような仕切板構造や、特許文献３に示すデスクトップパーティションがある。
【先行技術文献】
【特許文献】
【０００３】
【特許文献１】特開２０００−６４４６８号公報
【特許文献２】特開２００３−８２７９６号公報
【特許文献３】実用新案登録第３１１５１９０号公報
【考案の概要】
【考案が解決しようとする課題】
【０００４】
上記した従来の各種パーティションは、室内を区切る特許文献１，２の構成では、室内空間を区切ることから大型であり重量もあることでデスクなどの天板上に配設するには向かず、移動可能としても簡便に設置や撤去を行えるとは言えない。また、特許文献３のパーティションではデスク上のスペースを容易に区切ることができ移動が容易ではあるが、空間を仕切るほどの大きさはない。
特にこれら従来のパーティションでは、近年課題としている飛沫拡散の防止、すなわちウイルス感染リスクの低減対策を行うには向かず、すなわち、机上で容易に設置でき、この机上にて仕切って、圧迫感なく使用でき、パーティション越しの対人意志疎通も可能とする構成とは言えない。
【０００５】
本考案は上記状況に鑑みてなされたもので、その目的は、デスクやテーブルの天板上に簡単に設置でき、十分な高さで立設できて、且つ机上からの撤去も容易とされ、設置中における圧迫感を抑えるとともに、パーティション越しの対面時に意思疎通を可能としながら、お互いの飛沫拡散防止、或いは抑制することができる飛沫防止パーティションを提供することにある。
【課題を解決するための手段】
【０００６】
次に、上記の課題を解決するための手段を、実施の形態に対応する図面を参照して説明する。
本考案の請求項１記載の飛沫防止パーティション１（１２，３１）は、少なくとも半部が透明樹脂で構成される樹脂板よりなるパネル本体部２（１３，３２）と、
該パネル本体部２（１３，３２）の下縁に連結されて該パネル本体部２（１３，３２）を立設させる少なくとも左右一対の脚部３（１４，３３）と、
を具備することを特徴とする。
【０００７】
本考案の請求項２記載の飛沫防止パーティションは、請求項１記載の飛沫防止パーティションであって、
前記透明樹脂とされる前記パネル本体部の半部が、上半部５であることを特徴とする。
【０００８】
本考案の請求項３記載の飛沫防止パーティションは、請求項１記載の飛沫防止パーティションであって、
前記パネル本体部２は、上半部５と下半部６の別体で構成され、いずれか一方の半部が透明樹脂よりなり、前記上半部５と下半部６とが固定手段４により連結固定されることを特徴とする。
【０００９】
本考案の請求項４記載の飛沫防止パーティションは、請求項１〜３のいずれか１つに記載の飛沫防止パーティションであって、
前記パネル本体部１３の下縁に沿う一方の面には、棒状に形成される補強材１６が水平に固定されることを特徴とする。
【００１０】
本考案の請求項５記載の飛沫防止パーティションは、請求項１〜４のいずれか１つに記載の飛沫防止パーティションであって、
前記パネル本体部１３の下縁部分には、所定幅長および所定高さのスリット状に貫通した切欠部２３が形成されることを特徴とする。
【００１１】
本考案の請求項６記載の飛沫防止パーティションは、請求項１〜５のいずれか１つに記載の飛沫防止パーティションであって、
前記脚部１４の下面には粘着部２８を具備し、設置面１１に対して該粘着部２８にて前記脚部１４を接着固定し、前記パネル本体部１３を立設させることを特徴とする。
【００１２】
本考案の請求項７記載の飛沫防止パーティションは、請求項１〜６のいずれか１つに記載の飛沫防止パーティションであって、
前記パネル本体部１３は、中央パネル部１７と、該中央パネル部１７の右側縁に接続される右側パネル部１８と、前記中央パネル部１７の左側縁に接続される左側パネル部１９とで構成される３面構成で、前記中央パネル部１７と前記右側パネル部１８および前記左側パネル部１９の各接続部分２０，２１で折り曲げ自在とされ、折り畳めることを特徴とする。
【００１３】
本考案の請求項８記載の飛沫防止パーティションは、請求項７記載の飛沫防止パーティションであって、
前記中央パネル部１７、右側パネル部１８、左側パネル部１９の前記接続部分２０，２１近傍の上縁部を挟持するクリップ部２９を有し、該クリップ部２９を対で備え、両クリップ部２９，２９が所定角度で連結固定されるブラケット１５を一対具備し、
該ブラケット１５が、前記接続部分２０，２１の上縁部における、前記中央パネル部１７と前記右側パネル部１８、及び、前記中央パネル部１７と前記左側パネル部１９の開き角度を前記所定角度で保持することを特徴とする。
【考案の効果】
【００１４】
本考案に係る請求項１記載の飛沫防止パーティションによれば、少なくとも半部を透明としたので、表裏方向での透過が可能であり、圧迫感を抑え、対面時のお互いの顔を見ることができ、接客時の仕切りを構成できて、しかも飛沫による感染リスクを低減することができる。
【００１５】
本考案に係る請求項２記載の飛沫防止パーティションによれば、上半部を透明としたことで、立設状態のパネル越しにおいて、上半部にて対面・接客対応が容易となり、お互いの飛沫感染のリスクを低減させながら安全性の確保を行え、そして下半部を例えば半透明とすることで、お互いの手元を隠して対面作業を行うことを可能とする。
【００１６】
本考案に係る請求項３記載の飛沫防止パーティションによれば、パネル本体部の上下各半部で別体構成とすることで、一枚のパネル板が分解可能となり、設置時や撤去時の可搬性を容易にし、また、分解状態での保管時にスペースの確保を小さくできる。
【００１７】
本考案に係る請求項４記載の飛沫防止パーティションによれば、補強材を備えることで、樹脂製のパネル本体部の撓みを抑制し、立設状態を維持することが可能となる。
【００１８】
本考案に係る請求項５記載の飛沫防止パーティションによれば、切欠部によって、パネル本体部で仕切られる空間を貫通してケーブル等の配線を可能とする。また、対面用途の場合には書類などの受け渡しの可能な窓口を構成できる。
【００１９】
本考案に係る請求項６記載の飛沫防止パーティションによれば、脚部を粘着部でデスク天板などに接着固定でき、このことからパネル本体部の安定性が増し、パネル本体部の転倒を防ぐ。さらには風による煽りにも耐える。
【００２０】
本考案に係る請求項７記載の飛沫防止パーティションによれば、パネル本体部を３面構成とすることで、正面だけでなく、左右側面などを仕切り、作業空間の構成を可能としながら、透明板による圧迫感を抑制し、そして飛沫の飛散防止となる。また、折り畳みを可能とし、設置や撤去を簡便なものとするとともに、折り畳み状態であれば保管が楽なものとなる。
【００２１】
本考案に係る請求項８記載の飛沫防止パーティションによれば、ブラケットによって、正面となる中央パネル部に対する左右のパネル部のそれぞれの開き角度を維持でき、区画スペースを構成して倒れ防止やぐらつきを防ぎ、作業の妨げにならない。
【図面の簡単な説明】
【００２２】
【図１】本考案の第１実施形態に係る飛沫防止パーティションの斜視図である。
【図２】同飛沫防止パーティションの分解斜視図である。
【図３】同飛沫防止パーティションの使用状態を示す斜視図である。
【図４】本考案の第２実施形態に係る飛沫防止パーティションの斜視図である。
【図５】同飛沫防止パーティションの分解斜視図である。
【図６】同飛沫防止パーティションを構成するブラケットの斜視図である。
【図７】同飛沫防止パーティションを構成する脚部の斜視図である。
【図８】同飛沫防止パーティションの使用状態を示す斜視図である。
【図９】本考案の第３実施形態に係る飛沫防止パーティションの分解斜視図である。
【考案を実施するための形態】
【００２３】
以下、本考案に係る実施形態を図面を参照して説明する。
【００２４】
［第１実施形態］
図１は、本考案の第１実施形態に係る飛沫防止パーティションの斜視図、図２は、同飛沫防止パーティションの分解斜視図である。
第１実施形態に係る飛沫防止パーティション１は、パネル本体部２と脚部３と固定手段４とを主要な構成として有する。
【００２５】
パネル本体部２は、矩形状であり、上半部５と下半部６とで構成される。
パネル本体部２の上半部５は、透明樹脂板よりなり、例えば厚さ１ｍｍのＰＥＴ（ポリエチレンテレフタレート）、好ましくはＡ−ＰＥＴ（非晶性ポリエチレンテレフタレート）とされ、透明性が高く、耐油性、成形加工性、耐薬品性に優れた樹脂製板材である。
この上半部５には、真直な下縁に沿って、複数の貫通孔７が穿設されている。
【００２６】
パネル本体部２の下半部６は、ポリプロピレン製のプラスチックダンボールよりなる。本実施形態では、この下半部６は、上半部５と略同等の大きさで構成されて、乳白色などの半透明であり、厚さ４ｍｍ、目付量７００ｇ／ｍ2 のプラスチックダンボールとされ、目の向き（空洞の形成される方向）を垂直縦方向とされる。
この下半部６には、真直な上縁に沿って、複数の固定用貫通孔８が穿設されている。この固定用貫通孔８は、上記した上半部５の貫通孔７に対応している。
【００２７】
固定手段４は、本実施形態では、プラスチックネジよりなる。このプラスチックネジ４は、ポリエチレンやポリスチレンなどの樹脂よりなり、オスメス一対で構成される。このプラスチックネジ４により、上記した上半部５と下半部６に穿設されている貫通孔７と固定用貫通孔８に連通させて締結により互いを固定する。なお、この固定手段４としては、プラスチック製ボルト・ナットや、樹脂製のワンタッチ鋲で構成しても良い。プラスチックネジ４は、貫通孔７及び固定用貫通孔８に対して脱着が容易とされ、すなわち、上半部５と下半部６とは組み立てることでパネル本体部２となり、また、分解が可能となっている。
【００２８】
脚部３は、水平部９と垂直部１０とを備えた逆Ｔ字状に形成される。本実施形態では、直径３ｍｍのスチールワイヤーよりなり、メラミン焼き付け塗装で白色に施されている。
垂直部１０は、表側垂直部と裏側垂直部とで一対で構成されており、これら表側垂直部と裏側垂直部とは、上述したパネル本体部２の下半部６の厚みと略同一、好ましくは下半部６の厚みである４ｍｍよりもやや小さい間隔長で設定され、水平部９の略中央から垂直上向きに設けられている。
【００２９】
次に、上記した構成の作用を説明する。
本実施形態に係る飛沫防止パーティション１では、上半部５を透明に、下半部６を半透明にパネル本体部２を構成する。上半部５と下半部６とは、プラスチックネジ４を貫通孔７と固定用貫通孔８とに連通し、上半部５の下縁と下半部６の上縁とが連結され固定され、これにより１枚のパネル本体部２となる。
【００３０】
パネル本体部２の下縁における左右両端近傍には、脚部３がそれぞれ取り付けられる。脚部３は表側垂直部と裏側垂直部との間隙にパネル本体２の下半部６下縁が圧入され、この下半部６を挟持する。左右脚部３，３が取り付けられることで、パネル本体部２は立設状態とされる。なお、上半部５と下半部６の固定状態では、下半部６のプラスチックダンボールの目の向き（空洞の形成される方向）を垂直縦方向とすることで縦方向での撓みを無くし、立設状態を維持でき、また、これに連結固定される透明樹脂の上半部５が支持され、パネル本体部２として撓まないようになる。
【００３１】
また、パネル本体部２をＰＥＴ樹脂板とプラスチックダンボールとで構成していることから、アクリル樹脂に比べて軽量に構成でき、持ち運びを容易なものとすることができ、また設置時の作業負担が少なくなり、さらに脚部３がスチール製であることから、重心を下方に設定でき、パネル本体部２を倒れにくくすることが可能である。
【００３２】
このように立設状態となる飛沫防止パーティション１は、デスク正面での衝立をデスク天板上で構成でき、また、図３に示すようにこの飛沫防止パーティション１を３組用いることで、デスク天板１１上にて隣席との区画も行えて、着座時正面の衝立に加え、自席の机上における周囲を囲繞するよう構成でき、着座している本人の飛沫拡散防止、他者からの飛沫防止を行うことができ、すなわち飛沫によるウイルス感染のリスク低減となる。また、上半部５が透明であることで暗くならずに圧迫感が緩和され、さらに立ち居状態で周囲を見渡すことも可能である。さらに、このように上半部５が透明であり、下半部６が乳白色などの半透明とされることで、受付などの対面時、顔を見合わせ、お互いの顔を確認しての応対を行うことができ、意思疎通を図ることを可能とするとともに、手元を見せず、その作業等を相手に見えないよう応対が可能となって、飛沫が防止されることでマスクによる顔や表情が隠れてしまうことを緩和できるとともに、下半部が直接目視不可能となり、手元を見られなくする効果がある。また着座状態において、パーティション越しの視線を遮り、プライバシーの確保ができ、作業に集中しやすくなる。
【００３３】
また、この飛沫防止パーティション１を撤去する、或いは移動させる場合には、パネル本体部２から脚部３を取り外し、プラスチックネジ４を抜き取って上半部５と下半部６との連結を解除して、それぞれを分解させることでコンパクトにして、撤去、搬出する。なお、この分解状態であれば、収納が容易であり、保管場所の確保を容易とする。
【００３４】
なお、上述した固定手段４は、上半部５と下半部６とを脱着する必要が無ければ、ハトメなどを用いて互いを固定することとしても良い。また、この固定手段４は、上記ネジなどを用いずに、面ファスナーや粘着テープなどの帯状固定手段や、接着剤で互いを固定する構成としても良い。このような構成とすれば、面ファスナーであれば脱着自在で構成でき、脱着が不要であれば粘着テープ等による固定で構成でき、いずれも上記した貫通孔７，８を穿設する必要がなくなる。
【００３５】
また、上述した脚部３は、スチールワイヤーにて構成されるが、この脚部３の水平部９に下面を備える構成、例えば水平部９に板材等を設けて、その板材下面に粘着部を設ける構成としてもよい。この粘着部は、例えば低粘着面や弱粘着面として構成することで、デスク天板１１にパネル本体部２を立設させた際に、デスクに仮固定状態となり、倒れにくくなるとともに、机上で移動してしまわず、区画状態、すなわち飛沫防止状態を維持することが可能となる。
【００３６】
なお、この第１実施形態の飛沫防止パーティション１では、上半部５と下半部６とで別体の構成とし、それぞれを固定手段４で連結固定してパネル本体部２に構成していることから、これら上半部５と下半部６の樹脂素材については上述の例に限定されることなく、種々の樹脂素材、例えば塩ビやＰＥＴ、アクリルやポリプロピレン、ポリエチレン等で組み合わせて構成しても良い。また、下半部６を構成したプラスチックダンボールの他に、塩ビ板や波板など他の素材、形状の板材で構成してもよく、さらには樹脂素材としての色や着色，塗装，貼着による色、或いは表面をすりガラス調やフロスト調に加工したもので構成することとしても良い。さらには、パネル本体部２を１枚の板材とし、上半部５を透明に、下半部６を半透明や着色して構成するものとしても良い。
【００３７】
［第２実施形態］
次に、本考案に係る第２実施形態を説明する。
図４は、本考案の第２実施形態に係る飛沫防止パーティションの斜視図、図５は、同飛沫防止パーティションの分解斜視図である。
第２実施形態に係る飛沫防止パーティション１２は、パネル本体部１３と脚部１４とブラケット１５と補強材１６とを主要な構成として有する。
【００３８】
パネル本体部１３は、それぞれが矩形状に形成される中央パネル部１７と右側パネル部１８と左側パネル部１９とで構成される３面構成とされる。各パネル部１７，１８，１９は、厚さ２ｍｍの透明なＰＥＴ樹脂（ポリエチレンテレフタレート）で構成され、中央パネル部１７に対し、左右のパネル部１９，１８の幅長がやや短い幅長に設定され、例えば中央パネル部１７の幅長が約９００〜１２００ｍｍに対し、左右のパネル部１９，１８の幅長が５５０ｍｍ程度に設定される。
【００３９】
各パネル部１７，１８，１９の接続部分２０，２１、すなわち中央パネル部１７と、この中央パネル部１７の右側縁に接続される右側パネル部１８との接続部分２０と、中央パネル部１７と、この中央パネル部１７の左側縁に接続される左側パネル部１９との接続部分２１には、ヒンジを構成する可撓性帯体２２が設けられている。この可撓性帯体２２は、ポリエステル繊維等の繊維で補強されたポリプロピレン等の樹脂基材のテープ材であるフィラメントテープで構成され、高接着力の粘着材によって中央パネル部１７と左右のパネル部１９，１８とにおける隣り合う両縁部分に亘って貼付固定されている。このフィラメントテープをヒンジとして、中央パネル部１７と右側パネル部１８及び左側パネル部１９は、折り曲げ自在となり、すなわち３面構成の各パネル部１７，１８，１９が折り畳み自在なパネル本体部１３を構成することとなっている。
【００４０】
パネル本体部１３を構成する中央パネル部１７には、下縁の略中央に、所定の幅長で所定の高さよりなる長方形状、例えば中央パネル部１７の大きさが高さ約７００ｍｍ、幅長約９００〜１２００ｍｍであれば、幅長５００ｍｍ、高さ５０ｍｍの切欠部２３が形成される。
【００４１】
また、この中央パネル部１７には、補強材１６が設けられる。
補強材１６は略棒状に形成され、本実施形態では、透明なＡＢＳ樹脂や塩ビ等、成形の容易な剛性のある樹脂素材よりなり、真直なＬ字状の所謂アングル材のような形状部材とされる。この補強材１６は、中央パネル部１７の幅長と略同等の長さを有するとともに、垂直な平滑面２４を具備しており、この平滑面２４に粘着材が設けられている。そして、この補強材１６は、中央パネル部１７の一方の面における上記切欠部２３の上縁近傍に、水平に粘着材にて貼り付け固定されている。
【００４２】
脚部１４は、図６に示すように、垂直部２５と水平部２６とを備えたＬ字形状に形成され、上記各パネル部１７，１８，１９と同等の素材である厚さ２ｍｍのＰＥＴ樹脂よりなる。垂直部２５には、外側面に接着固定面２７を具備し、水平部２６には、下面に粘着部２８を具備している。この脚部１４は、左右一対で構成され、上記した右側パネル部１８と左側パネル部１９にそれぞれ固定される。本実施形態では、右側パネル部１８の内側面における下縁の角部近傍と、左側パネル部１９の内側面における下縁の角部近傍に、それぞれが左右パネル部１９，１８の下縁に沿ってヒレ状に延出して、垂直部２５の接着固定面２７にて固定される。
【００４３】
ブラケット１５は、図７に示すように、厚さ２ｍｍのＰＥＴ樹脂板を成形して得られ、一対のクリップ部２９，２９を具備し、本実施の形態では左右一対で構成されている。
ブラケット１５の各クリップ部２９，２９は、上述した中央パネル部１７や左右パネル部１９，１８の縁部分を厚み方向で挟持できる略Ｕ字状に屈曲形成された板状部材とされており、これらクリップ部２９，２９が対となり、両クリップ部２９，２９が所定角度、本実施形態では９０°で連結固定されたＬ字状構成となっている。
【００４４】
そして、このブラケット１５は、上述のパネル本体部１３における中央パネル部１７、右側パネル部１８、左側パネル部１９のそれぞれの接続部分２０，２１近傍の上縁部に、対となってるクリップ部２９，２９を差し込み挟持させ、中央パネル部１７と右側パネル部１８、および中央パネル部１７と左側パネル部１９の各開き角度を上記連結角度である９０°にて保持させるようになっている。このブラケット１５によって、図４に示すように、各パネル部１７，１８，１９のなす角度が９０°となり、パネル本体部１３がコ字状に配置構成される。
【００４５】
この第２実施形態の飛沫防止パーティション１２は、さらにエッジガード３０を具備している。エッジガード３０は左右一対で構成され、左右パネル部１９，１８における垂直な最外側縁１８ａ，１９ａに設けられる。このエッジガード３０は、塩ビ等を素材とし、例えばＵ字状に形成される長尺体よりなり、右側パネル部１８と左側パネル部１９の垂直な端縁である最外側縁１８ａ，１９ａを挟持するように設けられる。このエッジガード３０は、左右パネル材１９，１８の板材自体の端縁が剥き出しになることを防止している。
エッジガード３０は、無色透明や半透明で構成されることとしても良く、また、例えば着色素材とすることで各パネル部１８，１９の縁位置を容易に目視可能なものとしたり、透明素材であるパネル部１８，１９に対する衝突防止の効果を得ることができる。また、着色することで、色による座席の区別，区分を行うこともでき、座席の色分け管理なども可能となる。
【００４６】
次に、上記した構成の作用を説明する。
この第２実施形態に係る飛沫防止パーティション１２では、パネル本体部１３が、中央パネル部１７に対し、左右の各パネル部１９，１８がヒンジとなる接続部分２０，２１にて三つ折りとなって折り畳まれた状態とされる。机上などでの設置時に、左右の各パネル部１８，１９を中央パネル部１７に対してそれぞれ開き、略コ字状に配置した状態とする。そして、互いに対向する左右のパネル部１９，１８の内側面となるパネル部下縁に脚部１４をそれぞれ接着固定する。
【００４７】
左右に位置する各脚部１４，１４は、下面の粘着部２８から剥離紙が剥がされ、粘着面を表出させて、この粘着面にてデスク天板１１に被着させる。これにより、パネル本体部１３が、コ字状となって立設状態となる。
そして、中央パネル部１７に対して９０°の位置にある左右パネル部１９，１８との接続部分２０，２１の上縁部に、ブラケット１５のクリップ部２９，２９を挟持させ、各パネル部１７，１８，１９の開き角度を保持し、設置完了となる（図４参照）。
【００４８】
このような飛沫防止パーティション１２によれば、中央パネル部１７と右側パネル部１８と左側パネル部１９との３枚構成によって、パネル本体部１３がコ字状になることでパネル本体部１３のみで自立可能であるが、左右に脚部１４，１４を設け、これら一対の脚部１４，１４にてデスク天板１１に接着固定することで、安定し、倒れにくく、デスク上での区画の形成を維持可能となる。また、各ブラケット１５，１５によって、各パネル部１７，１８，１９同士の開き角度を維持することになり、不用意に閉じてしまう、或いはさらに開いてしまうなどの不具合を防止できる。さらに、補強材１６によって、パネル本体部１３の撓みを抑制し、平滑な板面を保持し立設状態を維持する。
【００４９】
また、この飛沫防止パーティション１２では、設置状態でデスク天板１１面との間でスリット状の貫通穴となる切欠部２３が、中央パネル部１７の下縁に、所定幅長，所定高さで形成される。この切欠部２３にて、ノートＰＣの電源ケーブルや電話線などを通す配線用のゲートとして構成することができる。
【００５０】
そして、この飛沫防止パーティション１２では、正面と左右の側部にそれぞれパネル部１７，１８，１９が隙間無く連続してコ字状に立設され、飛沫の三方向への拡散を防ぐことができ、また、三方向からの飛沫の侵入を防ぐことが可能となる。すなわち、飛沫によるウイルス感染のリスク低減となる。
また、飛沫防止パーティション１２は、透明樹脂製であることで、机上が暗くならず、且つ作業環境の視界を妨げることなく、閉鎖空間にならずに、室内を見渡すことが可能である。
【００５１】
飛沫防止パーティション１２を撤去する際には、ブラケット１５を取り外し、脚部１４を剥がし取り、中央パネル部１７に対して左右のパネル部１９，１８を接続部分２０，２１にて折り畳む。これにより持ち運びを容易なものとし、また収納が容易となり、コンパクトであることで保管場所の確保を容易とする。特に各パネル部１７，１８，１９の素材をＰＥＴとしてことで、アクリル樹脂に比べて軽量に構成でき、このことからも持ち運びを容易なものとすることができ、また設置時の負担が少ないものとなる。
【００５２】
なお、上述の例では、左右のブラケット１５，１５の各クリップ部のなす角度が９０°で構成された例とし、各パネル部１７，１８，１９が９０°に開く例を示したが、図８に示すように、中央パネル部１７に対して左右のパネル板１９，１８が９０°よりも広角な１２０°程度で構成されることとしても良く、このような構成とすることで、左右がやや広がった構成になり、机上作業面を広く構成させることができる。この場合、ブラケット１５のクリップ部２９のなす角度を１２０°で構成し、パネル部上縁部に挟持固定させる。
【００５３】
また、粘着部２８は再接着可能な粘着材にて構成することで、デスク天板１１から脚部１４を剥がし取った後も、再利用可能となる。
【００５４】
さらに、上述の例では、切欠部２３を中央パネル部１７の下縁に沿って形成して、デスク天板（設置面）１１とで貫通口とする例であるが、中央パネル部１７の板面に長方形状の穴を貫通形成することで、同様の貫通口としてもよい。このような構成とすると、デスク天板（設置面）１１に触れずに、パネルの表裏で書類等の受け渡しが可能な窓口を構成でき、そのような業務用のパーティションに構成することができる。
【００５５】
また、補強材１６の形状については、上記したＬ字状に限らず、断面矩形などとして構成してもよく、パネル本体部１３の板面に対して容易に固定可能とされるように平面（平滑面２４）を備える形状が好ましい。
【００５６】
さらに、上述した例においては、３面構成のパネル本体部１３を透明なＰＥＴ樹脂よりなる構成で説明したが、前述の第１実施形態と同様に、上半部を透明に、下半部を半透明に、それぞれ構成することとしてもよく、また、中央パネル部１７を透明に、左右のパネル部１９，１８をそれぞれ半透明に構成するなど、組合せを替えて構成することとしてもよい。
【００５７】
［第３実施形態］
次に、本考案に係る第３実施形態を説明する。
図８は、本考案の第３実施形態に係る飛沫防止パーティションの分解斜視図である。
第３実施形態に係る飛沫防止パーティション３１は、パネル本体部３２と脚部３３とを主要な構成として有する。
【００５８】
パネル本体部３２は、矩形状に形成される透明な厚さ４ｍｍのアクリル製樹脂板よりなる。パネル本体部３２の下縁３４には、本実施形態では左右一対となるスリット３５が形成される。各スリット３５，３５は、後述する脚部３３の厚さと同等の間隔幅で形成され、下縁３４から垂直上方向に真直となって所定の長さで形成される。
また、各スリット３５の終端部分には、スリット幅長より大径な略円形の端部３６がそれぞれ形成される。
【００５９】
脚部３３は、左右一対で構成され、透明な厚さ４ｍｍのアクリル製樹脂板よりなり、末広がり状の略台形状に形成される。各脚部３３，３３の幅狭な上端中央にはスリット３７が形成される。スリット３７は、上記パネル本体部３２のスリット３５と同様で、パネル本体部３２の厚さと同等の間隔幅で形成され、上端から垂直下方向に真直となって所定の長さに形成される。
また、各スリット３７，３７の終端部分には、前記パネル本体部３２のスリット３５，３５と同様に、スリット幅長より大径な略円形の端部３８がそれぞれ形成される。
【００６０】
本実施形態では、上述した各スリット３５，３７の長さを、脚部３３の高さの約１／３の長さに設定され形成される。
【００６１】
次に、上記した構成の作用を説明する。
この第３実施形態に係る飛沫防止パーティション３１では、パネル本体部３２の下縁３４に、対となる脚部３３，３３を左右のそれぞれのスリット３５，３５にて組み付ける。パネル本体部３２の各スリット３５，３５と各脚部３３，３３のそれぞれのスリット３７，３７は、それぞれ板厚と同等であることで、互いに直交状態で組み付けられる。また、スリット３５，３７は脚部３３のおよそ１／３の長さであることから、各スリット３５，３７の奥まで組み付けた状態においては、脚部３３の上部２／３がパネル本体部３２と組み合わされ、脚部３２の下部１／３がパネル本体部３２の下縁３４から突出するようになる。
【００６２】
このように構成された飛沫防止パーティション３１は、左右一対の脚部３３，３３によってパネル本体部３２が垂直に立設状態となる。パネル本体部３２に一対の脚部３３，３３のみを組み付けることで構成されることから、簡便にパーティションをデスク天板１１上に立設でき、デスク上に容易に飛沫防止の衝立を構築できる。また、上述した第１実施形態と同様に、正面と左右の３面で配置構成することでデスク上を囲繞するように配置構成でき、飛沫拡散の防止、他者からの飛沫防止を行うことができる。すなわち、飛沫によるウイルス感染のリスク低減を図れる。また、パネル本体部３２をアクリル樹脂で構成したことで、透明性が高いパーティションを構成でき、窓口業務やカウンターテーブル、打合せ机などの対面テーブルで視界を妨げることなく使用することができ、しかも飛沫を防止し、感染を防ぐことができる。
【００６３】
また、一対の脚部３３，３３によって、パネル本体部３２の下縁３４とデスク面１１との間に間隙を有することとなることで、上述した第２実施形態の切欠部２３と同様に、ケーブル配線用のゲート等を構成できる。なお、この間隙部分は、パネル本体部３２と脚部３３との組み付け長さで変更が可能であり、スリット３５，３７の形成長さで設定可能となる。
【００６４】
なお、この第３実施形態の飛沫防止パーティション３１では、パネル本体部３２の素材をアクリル樹脂板として述べたが、ＰＥＴ樹脂板や塩ビ板で構成させることとしても良く、さらには第１実施形態に示したプラスチックダンボールのように剛性を有する素材、波板などで構成しても良い。さらに、脚部３３の素材についても、アクリル樹脂に限定されるものではなく、アルミ等の金属板やスチール製のフレーム体であっても良い。また、この脚部３３をパネル本体部３２の厚みよりも大きい厚みの部材で構成し、重量を増す構成とすることで、転倒の防止効果を期待でき、さらには脚部３３の下面に水平な面を構成させて、その下面にデスク天板１１に接着可能な粘着材を設ける構成とすることも可能である。
【００６５】
また、パネル本体部３２を、上半部を透明に、下半部を半透明に構成しても良く、異種素材の組合せや一体な板材などとして構成することとしても良い。
【００６６】
本考案は上記の各実施形態に限定されるものではなく、各実施形態の各構成を相互に組み合わせることや、明細書の記載、並びに周知の技術に基づいて、当業者が変更、応用することも本考案の予定するところであり、保護を求める範囲に含まれる。
【００６７】
例えば上記の構成例では、パネル本体部２，１３，３２の構成として、上下の半部で透明とした例について述べたが、透明部分を左右の半部として構成することとしても良い。この場合、例えば第１実施形態に示したパネル本体部２を９０°回して使用するなどで実現可能である。
【００６８】
従って、本実施形態に係る飛沫防止パーティションによれば、デスクやテーブルの天板上に簡単に設置でき、十分な高さで立設できて、且つデスク天板上からの撤去も容易とされる。また、設置中における圧迫感を抑えるとともに、パーティション越しの対面時に意思疎通を可能としながら、お互いの飛沫拡散防止、或いは抑制することができ、すなわち飛沫によるウイルス感染のリスク低減となる。
【符号の説明】
【００６９】
１，１２，３１…飛沫防止パーティション
２，１３，３２…パネル本体部
３，１４，３３…脚部
４…固定手段
５…上半部
６…下半部
１１…デスク天板
１５…ブラケット
１６…補強材
１７…中央パネル部
１８…右側パネル部
１９…左側パネル部
２０，２１…接続部分
２３…切欠部
２８…粘着部
２９…クリップ部
【図１】
0003228226.tif 000003
【図２】
0003228226.tif 000004
【図３】
0003228226.tif 000005
【図４】
0003228226.tif 000006
【図５】
0003228226.tif 000007
【図６】
0003228226.tif 000008
【図７】
0003228226.tif 000009
【図８】
0003228226.tif 000010
【図９】
0003228226.tif 000011